(57)【要約】【目的】インピーダンス整合を何ら特別の操作無しに実現する電話端末装置及び電話端末装置設定方法を提供する。【構成】呼接続回路とこれを介して電話ラインに接続されるべきハイブリッド回路を含む電話端末装置とその設定方法であり、該呼接続回路が該電話ラインを介して発呼動作又は着呼応答して該電話ライン間に直流電流路を形成したとき、該直流電流路に流れる直流電流の大きさを検出し、該ループ電流の大きさに応じて該ハイブリッド回路のインピーダンスを変更する。【選択図】図２
2005101801.tif 000002
【特許請求の範囲】
【請求項１】
呼接続回路とこれを介して電話ラインに接続されるべきハイブリッド回路を含む電話端末装置であって、
前記呼接続回路が前記電話ラインを介して発呼動作又は着呼応答して前記電話ライン間に直流電流路を形成したとき、前記直流電流路に流れる直流電流の大きさを検出するループ電流検出回路と、を含み、
前記ハイブリッド回路は、そのインピーダンスを前記ループ電流の大きさに応じて変更することを特徴とする電話端末装置。
【請求項２】
前記ループ電流検出回路は、前記ループ電流の大きさと少なくとも１つの所定閾値とを比較し、これらが一致するか又は何れかが他を超える場合に判別信号を出力し、前記ハイブリッド回路は、前記判別信号に応じて前記インピーダンスを変更することを特徴とする請求項１記載の電話端末装置。
【請求項３】
前記所定閾値は、前記電話ラインにおける往復の直流損失を−２ｄＢとするループ電流に対応する値とすることを特徴とする請求項２記載の電話端末装置。
【請求項４】
前記所定閾値は、２つの閾値を含み、前記２つの閾値の差を応差とすることを特徴とする請求項２又は３記載の電話端末装置。
【請求項５】
呼接続回路とこれを介して電話ラインに接続されるべきハイブリッド回路を含む電話端末装置を設定する電話端末装置設定方法であって、
前記呼接続回路が前記電話ラインを介して発呼動作又は着呼応答して前記電話ライン間に直流電流路を形成したとき、前記直流電流路に流れる直流電流の大きさを検出するループ電流検出ステップと、
前記ループ電流の大きさに応じて前記ハイブリッド回路のインピーダンスを変更する変更ステップと、
を含むことを特徴とする電話端末装置設定方法。
【請求項６】
前記ループ電流検出ステップは、前記ループ電流の大きさと少なくとも１つの所定閾値とを比較し、これらが一致するか又は何れかが他を超える場合に判別信号を出力し、前記変更ステップは、前記判別信号に応じて、前記インピーダンスを変更することを特徴とする請求項５記載の電話端末装置設定方法。
【請求項７】
前記所定閾値は、前記電話ラインにおける往復の直流損失を−２ｄＢとするループ電流に対応する値とすることを特徴とする請求項６記載の電話端末装置設定方法。
【請求項８】
前記所定閾値は、２つの閾値を含み、前記２つの閾値の差を応差とすることを特徴とする請求項６又は７記載の電話端末装置設定方法。                             
【発明の詳細な説明】
【技術分野】
【０００１】
本発明は、電話網のラインに接続される電話端末装置及びその設定方法に関する。
【背景技術】
【０００２】
電話端末装置として、例えば、一般公衆電話回線に接続するタイプのＶｏＩＰゲートウェイ装置の如き電話端末装置は、端末の着信応答を交換機に知らしめる動作等を司る所謂ＣＯ回路を備えるのが通常である。この場合、該ＣＯ回路と電話回線、即ちラインとの間のインピーダンス整合を図る必要がある。なんとなれば、かかるインピーダンス整合を行わないとハイブリッド回路による漏話防止機能が十全に機能しないからである。更には、信号の反射による信号波形が乱れを防止する必要があるためである。
【０００３】
一般に電話端末装置と局舎との間の距離は一定ではなく、電話端末装置の設置場所の都合に応じて様々な長さになり、両者の間を繋ぐラインの長さも多様な長さを想定しなければならない。ラインにより形成される伝送路の直流抵抗値はラインの長さに依存することから、電話端末装置と局舎との間の距離について格別の配慮が必要となる。
【０００４】
そこで、従来の電話端末装置におけるインピーダンス整合の方法では、局舎との距離が長い場合と、これ比してより距離が短い場合との２つの状態（以下、前者を遠端、後者を近端と称する）を想定してインピーダンス整合を行っていた。例えば、遠端用又は近端用の何れかの設定回路を備えるタイプ、或いは、遠端用及び近端用の設定回路の両方を備えディプスイッチ操作等の外部操作に応じてハイブリッドトランスのインピーダンスを切り替えるタイプの電話端末装置が存在する（図１の（Ａ）及び（Ｂ）を参照）。
【発明の開示】
【発明が解決しようとする課題】
【０００５】
しかしながら、以上に述べた方法では局舎までの実際の距離に応じて、装置の設営者が装置を適切なものに交換するか或いは設定を手動で変更する必要があった。
【０００６】
本発明の目的は、インピーダンス整合を特別の操作無し実現する電話端末装置及び電話端末設定方法を提供することである。
【課題を解決するための手段】
【０００７】
本発明による電話端末装置は、呼接続回路とこれを介して電話ラインに接続されるべきハイブリッド回路を含む電話端末装置であり、該呼接続回路が該電話ラインを介して発呼動作又は着呼応答して該電話ライン間に直流電流路を形成したとき、該直流電流路に流れる直流電流の大きさを検出するループ電流検出回路とを含み、該ハイブリッド回路は、そのインピーダンスを該ループ電流の大きさに応じて変更することを特徴とする。
【０００８】
本発明による電話端末装置設定方法は、呼接続回路とこれを介して電話ラインに接続されるべきハイブリッド回路を含む電話端末装置を設定する電話端末装置設定方法であり、該呼接続回路が該電話ラインを介して発呼動作又は着呼応答して該電話ライン間に直流電流路を形成したとき、該直流電流路に流れる直流電流の大きさを検出するループ電流検出ステップと、該ループ電流の大きさに応じて該ハイブリッド回路のインピーダンスを変更する変更ステップとを含むことを特徴とする。
【発明の効果】
【０００９】
本発明による電話端末装置及び電話端末装置設定方法によれば、ラインに流れるループ電流に基づいて例えば遠端又は近端の何れかであるかを判別するループ電流検出手段又は行程が設けられる。この判別結果の信号に応じて、ハイブリッド回路のインピーダンスの変更設定がなされる。これにより、インピーダンス整合が何ら特別の操作無しに実現される。
【発明を実施するための最良の形態】
【００１０】
本発明の実施例について添付の図面を参照して詳細に説明する。
【００１１】
図２は、本発明の第１の実施例であり、電話端末装置を含む全体の構成を示している。電話端末装置２０が極線１０を介して局舎１１の電話交換機１２に接続されている。電話端末装置２０は、通常の電話通話をなす電話機、構内電話のための構内交換機、更にはＩＰ電話端末或いはＩＰ電話交換機であっても良い。ライン１０の右端は、局舎１１の電話交換機１２に接続されることで、電話端末装置２０との間で呼接続のための制御信号の送受信、電話音声信号の送受信をなす。ライン１０の左端の１つ線路は電話端末装置２０の呼接続回路２６に直接接続され、他の線路は遠近判別回路３０を介して呼接続回路２６に接続される。ライン１０は、呼接続回路２６を介してハイブリッド回路２１に接続される。呼接続回路２６及びハイブリッド回路２１により所謂ＣＯ回路が構成される。
【００１２】
電話端末装置２０の呼接続回路２６は、発呼動作及び着呼応答を含む一連の呼接続動作を行う機能を有する。呼接続回路２６は、また、遠近判別回路３０に対して通話中信号を出力する機能を有する。通話中信号は呼接続が通話中にあることを示す信号であり、その状態は、例えば発呼動作又は着呼応答シーケンス時にはＯＦＦ信号とし、通話シーケンスにある場合にＯＮ信号とする。
【００１３】
電話端末装置２０のハイブリッド回路２１は、ライン１０との間でインピーダンス整合を果たすためのハイブリッドトランスを含み、遠端用設定回路２３及び近端用設定回路２４が切換回路２２により選択的に接続されることで、その出力インピーダンスを選択的に切り替える。切換回路２２は、遠近判別回路３０からの遠端／近端設定信号に従って動作し、遠端／近端設定信号が遠端を示す値（例えばＯＦＦ信号）を持つ場合にハイブリッド回路２１と遠端用設定回路２３とを接続し、遠端／近端設定信号が近端を示す値（例えばＯＮ信号）を持つ場合にハイブリッド回路２１と近端用設定回路２４とを接続する。遠端用設定回路２３及び近端用設定回路２４の各々には、設定回路の基準電圧を供給するための基準信号Ｖrefが供給される。尚、ハイブリッド回路２１、遠端用設定回路２３、近端用設定回路２４及び切換回路２２は、１つのまとまった部品モジュールにより、更には呼接続回路２６をも含めた部品モジュールにより実現されても良い。
【００１４】
ハイブリッド回路２１から出力される送信信号及び受信信号の各々は、通話回路２５に接続される。通話回路２５は、更にマイク及びスピーカ等の音響装置（図示せず）に接続されて電話端末として機能を実現する。尚、電話端末装置２０は、ＩＰ電話のためのＶｏＩＰゲートウェイ等のＩＰネットワーク機器であっても良く、この場合には、通話回路２５は、例えば、パケット送受信回路及び音声コーデック回路等の回路に接続されてＶｏＩＰ端末としての機能を実現しても良い。
【００１５】
図３は、図２に示される遠近判別回路３０のより詳細の構成を示している。遠近判別回路３０は、ライン１０の２本の線路のうちの１つに直列に接続される。ライン１０の一端（図３の右側）は、局舎１１（図２参照）に繋がれ、他端は電話端末装置２０のハイブリッド回路２１に接続される。遠近判別回路３０は、電流検出回路３１と、ヒステリシス回路３２と、第１コンパレータ回路３３と、第２コンパレータ回路３４とを含む。ライン１０は、電話端末装置２０のオフフック操作（又はこれに等価な動作）に応じてループ電流が流れる（例えば、１５〜１３０ｍＡ）。ループ電流は、局舎からの局供給直流電圧により駆動される。局供給直流電圧は、着呼応答に応じて例えば−４８Ｖ乃至４８Ｖの範囲で極性反転されるが、呼接続が通話シーケンスに至ることで５Ｖ程度の安定した直流電圧が供給される。これにより、ライン１０を介して電話端末装置２０及び局舎１１の交換機１２を通る環状の直流路が形成され、ループ電流を発生する。遠近判別回路３０は、ループ電流検出手段を提供する。
【００１６】
遠近判別回路３０の電流検出回路３１は、例えばライン１０の一線に直列に接続されるフォトカプラ等の電流検出素子によりライン１０のループ電流の大きさを測定しループ電流の大きさを示す電圧信号を出力する。該電圧信号は、第１コンパレータ回路３３、第２コンパレータ回路３４の各々に入力される。第１コンパレータ回路３３及び第２コンパレータ回路３４の各々は、入力されるループ電流の大きさを示す電圧信号と、設定入力される閾値電流（Ａ）及び閾値電流（Ｂ）の大きさを示す電圧信号とを各々比較して、ＯＮ／ＯＦＦ信号を出力する。第１コンパレータ回路３３のＯＮ／ＯＦＦ信号の切り換えは、ループ電流の大きさを示す電圧信号が閾値電流（Ａ）の電圧信号に等しいか又はこれを超えた場合にＯＮ信号を出力しその他の場合にはＯＦＦ信号を出力する。第２コンパレータ回路３４のＯＮ／ＯＦＦ信号の切り換えは、同様にループ電流の大きさを示す電圧信号が閾値電流（Ｂ）の電圧信号に等しいか又はこれを超えた場合にＯＮ信号を出力しその他の場合にはＯＦＦ信号を出力する。
【００１７】
遠近判別回路３０のヒステリシス回路３５は、第１コンパレータ回路３３及び第２コンパレータ回路３４の各々からの複数のＯＮ／ＯＦＦ信号を入力し、近端又は遠端の切換を指示する遠端／近端判別信号を出力する。遠端／近端判別信号は、呼接続回路２６からの通話中信号によりイネーブルとされる。これにより通話シーケンスにある場合においてのみループ電流を正しくを測定する。ヒステリシス回路３５は、また、遠端／近端判別信号の従前の信号値を保持することで、２つの閾値電電流（Ａ）及び（Ｂ）の差を応差、即ちヒステリシスとして、遠端／近端判別信号を出力する。閾値を一点として遠端／近端の切り替える方法とは異なりかかるヒステリシス動作とすることにより、１つの閾値前後で電流値が変動する時に発生する遠端又は近端の設定不安定状態を防止することを可能とする。尚、ヒステリシス動作の実現は、応差入力を可能とする既存のオペレーションナルアンプによっても実現し得る。
【００１８】
図４は、局舎からの距離に対するループ電流の変化を示している。この図から明らかなように、局舎からの距離が長くなるにつれてラインの直流抵抗が増大し、ループ電流が減少することがわかる。従って、遠端又は近端の判定は、適切な閾値を遠端／近端の各々について設定することにより局舎との距離に応じた遠端又は近端の判定をなすことができる。閾値電流の値の設定は経験値的に定め得る。例えば、局舎との距離において近端とは、往復の線路ロス０〜２ｄＢを与える距離範囲内とし、一方、遠端とは往復の線路ロス２ｄＢ以上を与える距離範囲とする。従って、遠端と近端との閾値電流は、−２ｄＢの減衰によるループ電流の値に設定される。
【００１９】
図５は、遠近判別回路３０の主要な信号の時間的な電圧変化を示しているチャート図である。その横軸は時間経過を示し、その縦軸は、通話中信号、ループ電流、第１コンパレータ回路の出力信号、第２コンパレータ回路の出力信号、そして最下段に遠端／近端判別信号を示している。
【００２０】
通話中信号は、電話端末装置２０と交換機１２が通話シーケンスにあるハ場合にＯＮ信号を維持する。通話シーケンスにあることから適正なループ電流が測定され得る。更に、通話中信号のＯＮ信号によりヒステリシス回路３６がイネーブルにされる。ループ電流は、説明のためにインピーダンスが時間変化する仮想的なラインに接続した場合の変化を示したものである。図５に示されるループ電流の変化を見ると、徐々に減衰して閾値電流（Ａ）及び閾値電流（Ｂ）を割り込み、更にその後に閾値電流（Ｂ）及び閾値電流（Ａ）を順次超えて変化する場合を示している。
【００２１】
かかるループ電流を変化に応じて、第１コンパレータ回路の出力信号は、ループ電流が閾値電流（Ａ）を超えた場合にＯＮ信号を出力する。一方、第２コンパレータ回路の出力信号は、ループ電流が閾値電流（Ｂ）を超えた場合にＯＮ信号を出力している。遠端／近端判別信号は、近端すなわち局舎が端末にとって短い距離にある旨の信号（例えばＯＮ信号）と、遠端すなわち局舎が端末にとって近端に比してより遠い距離にある旨の信号（例えばＯＦＦ信号）の２つの状態をとり得る。図示されるように遠端／近端判別信号は、遠近判別回路３０のヒステリシス回路３５によりヒステリシス動作する。これにより、１つの閾値前後における微小のループ電流の変動による遠端／近端設定の不安定を解消している。
【産業上の利用可能性】
【００２２】
以上の実施例においては、電話端末装置として通常の電話機を想定して説明されたが、本発明による電話端末装置はかかる電話機に限定されず、ＩＰ電話のためのＶｏＩＰゲートウェイ等のＩＰネットワーク機器であっても良い。また、図２に示される遠近判別回路は電話端末装置に内蔵されているが、本発明による遠近判別回路は、かかる内蔵構成に限定されず、電話端末装置とは別個の独立した１つの装置して構成することも可能である。更に、本実施例の遠近判別回路は、遠端及び近端の２つの距離範囲を前提として判別を行っているか、かかる数に限定されず、複数の距離範囲を判定することも可能である。
【図面の簡単な説明】
【００２３】
【図１】従来技術におけるインピーダンス整合を図る方法を説明している説明図である。
【図２】本発明の実施例であり、電話端末装置を含む全体の構成を示しているブロック図である。
【図３】図１に示される電話端末装置の遠近判別回路のより詳細の構成を示している回路図である。
【図４】局舎からの距離に対するループ電流の変化を説明している説明図である。
【図５】遠近判別回路の主要な信号の時間的な電圧変化を示しているチャート図である。
【符号の説明】
【００２４】
１０  ライン
１１  局舎
１２  交換機
２０  電話端末装置
２１  ハイブリッド回路
２２  切換回路
２３  遠端設定回路
２４  近端設定回路
２５  通話回路
２６  呼接続回路
３０  遠近判別回路
３１  電流検出回路
３２  ヒステリシス回路
３３  第１コンパレータ回路
３４  第２コンパレータ回路             
【図１】
2005101801.tif 000003
【図２】
2005101801.tif 000004
【図３】
2005101801.tif 000005
【図４】
2005101801.tif 000006
【図５】
2005101801.tif 000007